(57)【要約】      （修正有）【課題】様々な使用形態に変形させるだけでなく、マッサージ機能を有し、必要に応じてマッサージを施す箇所を選択することができ、座り心地も良好なソファを提供する。【解決手段】ソファ１０を、座部１１と背もたれ部１２と左側肘掛部１３Ｌと右側肘掛部１３Ｒとを備えたものとするとともに、左側肘掛部１３Ｌ及び右側肘掛部１３Ｒの座部１１に対する傾斜角度θＬ，θＲをそれぞれ調節可能な構造とし、左側肘掛部１３Ｌ又は右側肘掛部１３Ｒのうち少なくとも一方の肘掛部１３における起立時内向面にマッサージ手段１５を設けた。座部１１を、中間座部１１Ｃと左側座部１１Ｌと右側座部１１Ｒとで構成するとともに、左側肘掛部１３Ｌ及び右側肘掛部１３Ｒの左側座部１１Ｌ及び右側座部１１Ｒに対する傾斜角度φＬ，φＲを調節可能な構造とするとより好ましい。【選択図】図５
2013188340.tif 000002
【特許請求の範囲】
【請求項１】
座部と、座部における後縁から起立して設けられた背もたれ部と、座部の左縁から起立して設けられた左側肘掛部と、座部の右縁から起立して設けられた右側肘掛部とを備えたソファであって、
左側肘掛部及び右側肘掛部の座部に対する傾斜角度がそれぞれ調節可能な構造とされるとともに、
左側肘掛部又は右側肘掛部のうち少なくとも一方の肘掛部における起立時内向面にマッサージ手段が設けられたことを特徴とするソファ。
【請求項２】
座部が、座部の左右方向中間部を形成する中間座部と、中間座部に対する傾斜角度を調節可能な状態で中間座部の左側に配された左側座部と、中間座部に対する傾斜角度を調節可能な状態で中間座部の右側に配された右側座部とで構成され、
左側肘掛部が、左側座部に対する傾斜角度を調節可能な状態で左側座部の左縁に連結され、
右側肘掛部が、右側座部に対する傾斜角度を調節可能な状態で右側座部の右縁に連結された請求項１記載のソファ。
【請求項３】
左側肘掛部又は右側肘掛部の起立時内向面におけるマッサージ手段が設けられた部分が、開閉可能なカバーによって覆われた請求項１又は２記載のソファ。
【発明の詳細な説明】
【技術分野】
【０００１】
本発明は、変形可能な構造を有するソファに関する。
【背景技術】
【０００２】
変形可能な構造を有するソファとしては、これまでに各種のものが提案されている。例えば、特許文献１には、座部フレームを有する座部の両側に肘掛フレームを有する一対の肘掛部を備えたソファであって、座部フレームが、中央フレームとその両側に配された一対の側部フレームとに分割され、それぞれの側部フレームの一端側（中央フレーム側）が中央フレームに対してラチェット型のヒンジ機構を介して回動自在に連結されるとともに、それぞれの側部フレームの他端側（中央フレームとは反対側）が肘掛フレームに対してラチェット型のヒンジ機構を介して回動自在に連結されたものが記載されている。
【０００３】
特許文献１のソファは、それぞれの側部フレームの中央フレームに対する傾斜角度を調節する、あるいは、それぞれの肘掛フレームの側部フレームに対する傾斜角度を調節することにより、ソファを様々な形態へと変形して使用することが可能なものとなっている。しかし、特許文献１のソファは、その使用形態を変化させることができるに過ぎず、血行を良くしたり、筋肉の緊張を施したりなど、それを使用する人の身体の疲れを積極的に癒すことができるものとはなっていなかった。
【０００４】
これに対し、特許文献２には、座部の一部が起伏可能な構造とされたソファであって、座部における起伏可能な部分にマッサージ手段を設けたものが提案されている。これにより、ソファをマッサージ装置として利用することが可能になり、ソファの付加価値を高めることができるとされている。しかし、特許文献２のソファでマッサージすることができるのは、背中周辺のみであり、背中以外の箇所、例えば足裏などをマッサージすることができない。加えて、特許文献２のソファは、マッサージ手段が座部の上面に設けられているため、それを通常のソファとして使用した際には、マッサージ手段が臀部に当たって座り心地が悪くなるなどの欠点がある。
【先行技術文献】
【特許文献】
【０００５】
【特許文献１】特開２００７−２８９３２４号公報
【特許文献２】特開２００４−３２１３８４号公報
【発明の概要】
【発明が解決しようとする課題】
【０００６】
本発明は、上記課題を解決するためになされたものであり、多人数掛けソファや、一人掛けソファや、ベッドなど、様々な使用形態に変形させるだけでなく、マッサージ手段により使用者の身体の疲れを積極的に癒すことができ、かつ必要に応じてマッサージを施す箇所を選択することができ、さらにはマッサージ手段が座り心地に悪影響を及ぼすことのないソファを提供するものである。
【課題を解決するための手段】
【０００７】
上記課題は、座部と、座部における後縁から起立して設けられた背もたれ部と、座部の左縁から起立して設けられた左側肘掛部と、座部の右縁から起立して設けられた右側肘掛部とを備えたソファであって、左側肘掛部及び右側肘掛部の座部に対する傾斜角度がそれぞれ調節可能な構造とされるとともに、左側肘掛部又は右側肘掛部のうち少なくとも一方の肘掛部における起立時内向面（肘掛部を鉛直に起立させた際に水平方向内側を向く面のこと。肘掛部を水平に寝かせた際には上側を向く。）にマッサージ手段が設けられたことを特徴とするソファを提供することによって解決される。
【０００８】
これにより、ソファを、多人数掛けソファやベッドなど、様々な使用形態に変形させることが可能になる。また、マッサージ手段によって使用者の身体の疲れを積極的に癒すことも可能になる。さらに、マッサージ手段を、座部ではなく、肘掛部における起立時内向面に設けたことにより、ソファを未変形状態で（多人数掛けソファとして）使用した際にマッサージ手段が使用者の臀部に当たらないようにして、ソファの座り心地を良好にすることも可能になる。
【０００９】
本発明のソファにおいては、座部を、座部の左右方向中間部を形成する中間座部と、中間座部に対する傾斜角度を調節可能な状態で中間座部の左側に配された左側座部と、中間座部に対する傾斜角度を調節可能な状態で中間座部の右側に配された右側座部とで構成し、左側肘掛部を、左側座部に対する傾斜角度を調節可能な状態で左側座部の左縁に連結し、右側肘掛部を、右側座部に対する傾斜角度を調節可能な状態で右側座部の右縁に連結することも好ましい。これにより、ソファを一人掛けソファとして使用することも可能になるなど、その使用形態の自由度をさらに高めることが可能になる。したがって、首筋や肩や背中や腰や足裏など、マッサージを施す箇所の選択自由度を高めることも可能になる。
【００１０】
また、本発明のソファにおいて、左側肘掛部又は右側肘掛部の起立時内向面におけるマッサージ手段が設けられた部分を、開閉可能なカバーによって覆うことも好ましい。これにより、マッサージ手段を使用しない際には、マッサージ手段をカバーで覆って目立たなくすることが可能になる。したがって、ソファの見た目をよくすることも可能になる。マッサージ手段を覆うカバーは、面ファスナなどによって固定できるようにすると好ましい。
【発明の効果】
【００１１】
以上のように、本発明によって、多人数掛けソファや、一人掛けソファや、ベッドなど、様々な使用形態に変形させるだけでなく、マッサージ手段により使用者の身体の疲れを積極的に癒すことができ、かつ必要に応じてマッサージを施す箇所を選択することができ、さらにはマッサージ手段が座り心地に悪影響を及ぼすことのないソファを提供することが可能になる。
【図面の簡単な説明】
【００１２】
【図１】基本状態（未変形状態）にあるときの本発明のソファを示した正面図である。
【図２】第一変形状態にあるときの本発明のソファを示した正面図である。
【図３】第二変形状態にあるときの本発明のソファを示した正面図である。
【図４】第三変形状態にあるときの本発明のソファを示した正面図である。
【図５】第四変形状態にあるときの本発明のソファを示した正面図である。
【図６】第五変形状態にあるときの本発明のソファを示した正面図である。
【図７】マッサージ手段を拡大して示した斜視図である。
【発明を実施するための形態】
【００１３】
本発明のソファの好適な実施態様について、図面を用いてより具体的に説明する。図１は、基本状態（未変形状態）にあるときの本発明のソファ１０を示した正面図である。図２〜６は、第一変形状態から第五変形状態にあるときの本発明のソファ１０をそれぞれ示した正面図である。図７は、本実施態様のソファ１０で採用したマッサージ手段１５を拡大して示した斜視図である。
【００１４】
本実施態様のソファ１０は、図１に示すように、座部１１と、座部１１における後縁から起立して設けられた背もたれ部１２と、座部１１の左縁から起立して設けられた左側肘掛部１３Ｌと、座部１１の右縁から起立して設けられた右側肘掛部１３Ｒとを備えたものとなっている。座部１１は、座部１１の左右方向中間部を形成する中間座部１１Ｃと、中間座部１１Ｃの左側に配された左側座部１１Ｌと、中間座部１１Ｃの右側に配された右側座部１１Ｒとで構成されている。左側肘掛部１３Ｌにおける起立時内向面には、マッサージ手段１５を設けている。本実施態様のソファ１０において、座部１１、背もたれ部１２及び肘掛部１３（左側肘掛部１３Ｌ及び右側肘掛部１３Ｒ）は、複数本の脚１４ａを有する基台１４によって支えられた構造となっている。
【００１５】
左側座部１１Ｌ、中間座部１１Ｃ及び右側座部１１Ｒのそれぞれの幅Ｗ１，Ｗ２，Ｗ３（図２を参照）や、左側肘掛部１３Ｌ及び右側肘掛部１３Ｒのそれぞれの幅Ｗ４，Ｗ５は、特に限定されない。しかし、幅Ｗ１，Ｗ２，Ｗ３，Ｗ４，Ｗ５を短くしすぎると、ソファ１０を図２に示す第二変形状態とした際における左側座部１１Ｌから右側座部１１Ｒまでの距離を確保できなくなり、ソファ１０に寝ることができなくなる。このため、幅Ｗ１，Ｗ２，Ｗ３，Ｗ４，Ｗ５は、通常、それぞれ２５ｃｍ以上とされる。幅Ｗ１，Ｗ２，Ｗ３，Ｗ４，Ｗ５は、それぞれ３０ｃｍ以上であると好ましく、３５ｃｍ以上であるとより好ましい。一方、幅Ｗ１，Ｗ２，Ｗ３，Ｗ４，Ｗ５を長くしすぎると、ソファ１０を使用する人が各変形状態において所望の姿勢をとることができなくなる。このため、幅Ｗ１，Ｗ２，Ｗ３，Ｗ４，Ｗ５は、通常、５０ｃｍ以下とされる。幅Ｗ１，Ｗ２，Ｗ３，Ｗ４，Ｗ５は、４５ｃｍ以下であると好ましく、４０ｃｍ以下であるとより好ましい。本実施態様のソファ１０において、幅Ｗ１，Ｗ２，Ｗ３，Ｗ４，Ｗ５はいずれも約３５ｃｍとしている。
【００１６】
座部１１、背もたれ部１２及び肘掛部１３の素材は、特に限定されないが、ソファ１０の座り心地を考慮して、通常、クッション性を有する素材で形成される。具体的には、カバーの内部にクッション材を収容したものとされる。カバーとしては、天然繊維、合成繊維若しくはこれらの双方を用いた編布、織布若しくは不織布、天然皮革若しくは合成皮革、又はこれらの素材を併用したものなどが例示される。クッション材としては、発泡樹脂（低反発のものも含む。）などで形成された弾力性を有する樹脂マット、綿、羽毛、ビーズ若しくは布の細片などの多数の繊維状物、粒状物若しくは片状物を使用したもの、コイルスプリングなどの多数の弾性材を使用したもの、又はこれらの素材を併用したものなどが例示される。本実施態様のソファ１０は、座部１１及び肘掛部１３のクッション材がそれぞれ共通のカバーに収容された構造となっており、図１に示すように、座部１１と肘掛部１３とが連続した形態となっている。座部１１、背もたれ部１２及び肘掛部１３の内部には、その概形を保つためのフレーム（図示省略）が収容される。
【００１７】
左側肘掛部１３Ｌは、左側座部１１Ｌに対する傾斜角度θＬを調節可能な状態で左側座部１１Ｌの左縁に連結されている（図１〜６における点ＱＬ）。また、右側肘掛部１３Ｒは、右側座部１１Ｒに対する傾斜角度θＲを調節可能な状態で右側座部１１Ｒの右縁に連結されている（図１〜６における点ＱＲ）。さらに、左側座部１１Ｌは、中間座部１１Ｃに対する傾斜角度φＬを調節可能な状態で中間座部１１Ｃの左縁に連結されている（図１〜６における点ＰＬ）。さらにまた、右側座部１１Ｒは、中間座部１１Ｃに対する傾斜角度φＲを調節可能な状態で中間座部１１Ｃの右縁に連結されている（図１〜６における点ＰＲ）。本実施態様のソファ１０は、このように傾斜角度θＬ，θＲ，φＬ，φＲのそれぞれを独立して調節することが可能な構造となっているため、図１〜６に示すように、その形態を多様に変化させることが可能となっている。
【００１８】
例えば、図１に示す基本状態では、傾斜角度θＬ及び傾斜角度θＲを約７５°に設定するとともに、傾斜角度φＬ及び傾斜角度φＲを約０°に設定している。このように、左側座部１１Ｌ、中間座部１１Ｃ及び右側座部１１Ｒが水平に寝た状態とするとともに、左側肘掛部１３Ｌ及び右側肘掛部１３Ｒを起立した状態とすることによって、ソファ１０は、二人掛け又は三人掛けが可能な状態となる。
【００１９】
また、図２に示す第一変形状態では、傾斜角度θＬ、傾斜角度θＲ、傾斜角度φＬ及び傾斜角度φＲの全てを約０°に設定している。このように、左側座部１１Ｌ、中間座部１１Ｃ、右側座部１１Ｒ、左側肘掛部１３Ｌ及び右側肘掛部１３Ｒの全てを水平に寝た状態とすることによって、ソファ１０は、ベッドとして使用する（左側肘掛部１３Ｌ又は右側肘掛部１３Ｒのいずれか一方の肘掛部１３を枕とし、他方の肘掛部１３に脚を載せた状態で寝る）ことが可能な状態となる。この第一変形状態などにおいて、左側肘掛部１３Ｌ又は右側肘掛部１３Ｒは、枕として使用されるため、左側肘掛部１３Ｌ又は右側肘掛部１３Ｒは、それを水平に寝かせた際に左側座部１１Ｌ、中間座部１１Ｃ及び右側座部１１Ｒよりも高くなるよう、左側肘掛部１３Ｌ又は右側肘掛部１３Ｒよりも厚みのある構造としている。
【００２０】
さらに、図３に示す第二変形状態では、傾斜角度θＬを約４５°に設定するとともに、傾斜角度θＲ、傾斜角度φＬ及び傾斜角度φＲを約０°に設定している。このように、左側座部１１Ｌ、中間座部１１Ｃ、右側座部１１Ｒ及び右側肘掛部１１Ｒが水平に寝た状態とするとともに、左側肘掛部１３Ｌをある程度起立した状態とすることによって、ソファ１０は、やはり、ベッドとして使用する（右側肘掛部１３Ｒを枕とし、左側肘掛部１３Ｌに足裏を当てた状態で寝る）ことが可能な状態となる。この第二変形状態において、ソファ１０に寝た人は、足裏をマッサージ手段１５に当ててマッサージ手段１５を駆動することにより、足裏をマッサージすることができる。本実施態様のソファ１０において、左側肘掛部１１Ｌの起立時内向面におけるマッサージ手段１５が設けられた部分は、開閉可能なカバー１３ａによって覆われている。このため、マッサージ手段１５の使用時にカバー１３ａを開くと、足裏をより強く刺激してより高いマッサージ効果を得ることができるようになっている。
【００２１】
さらにまた、図４に示す第三変形状態では、傾斜角度θＬ、傾斜角度φＬ及び傾斜角度φＲを約０°に設定するとともに、傾斜角度θＲを約４５°に設定している。このように、左側肘掛部１１Ｌ、左側座部１１Ｌ、中間座部１１Ｃ及び右側座部１１Ｒが水平に寝た状態とするとともに、右側肘掛部１３Ｒをある程度起立した状態とすることによって、ソファ１０は、やはり、ベッドとして使用する（左側肘掛部１３Ｌを枕とし、右側肘掛部１３Ｒに足裏を当てた状態で寝る）ことが可能な状態となる。この第三変形状態において、ソファ１０に寝た人は、首筋や肩をマッサージ手段１５に当ててマッサージ手段１５を駆動することにより、首筋や肩をマッサージすることができる。
【００２２】
そして、図５に示す第四変形状態では、傾斜角度θＬ、傾斜角度φＲ及び傾斜角度θＲを約０°に設定するとともに、傾斜角度φＬを約４５°に設定している。このように、中間座部１１Ｃ、右側座部１１Ｒ及び右側肘掛部１３Ｒが水平に寝た状態とするとともに、左側肘掛部１３Ｌ及び左側座部１１Ｒをある程度起立した状態とすることによって、ソファ１０は、一人が横向きに腰掛けることが可能な状態となる。すなわち、中間座部１１Ｃに腰を下ろして左側座部１１Ｌに背中を当て、左側肘掛部１３Ｌを枕とした状態で足先を右側肘掛部１３Ｒに載せることが可能な状態となる。この第四変形状態において、ソファ１０に座った人は、首筋や肩をマッサージ手段１５に当ててマッサージ手段１５を駆動することにより、首筋や肩をマッサージすることができる。
【００２３】
そしてまた、図６に示す第五変形状態では、傾斜角度θＬ、傾斜角度φＬ及び傾斜角度θＲを約０°に設定するとともに、傾斜角度φＲを約４５°に設定している。このように、左側肘掛部１３Ｌ、左側座部１１Ｌ及び中間座部１１Ｃが水平に寝た状態とするとともに、右側座部１１Ｒ及び右側肘掛部１３Ｒをある程度起立した状態とすることによって、ソファ１０は、一人が横向きに腰掛けることが可能な状態となる。すなわち、中間座部１１Ｃに腰を下ろして右側座部１１Ｒに背中を当て、右側肘掛部１３Ｒを枕とした状態で足先を左側肘掛部１３Ｌに載せることが可能な状態となる。この第五変形状態において、ソファ１０に座った人は、足裏をマッサージ手段１５に当ててマッサージ手段１５を駆動することにより、足裏をマッサージすることができる。この場合、図６に示す状態よりも左側肘掛部１３Ｌを起立させると、足裏をマッサージ手段１５に当てやすくすることができる。
【００２４】
傾斜角度θＬ，θＲ，φＬ，φＲを調節可能とする構造は、特に限定されず、各種の角度調節機構を用いることができるが、できるだけ簡単な操作で、多段階又は無段階で角度調節できるものが好ましい。このような角度調節機構としては、ラチェット機構を用いたものや、バネブレーキ（軸にコイルバネを外嵌した構造）を用いたものなどが例示される。本実施態様のソファ１０においては、左側座部１１Ｌのフレームと左側肘掛部１３Ｌのフレームとを回動可能な状態で連結する軸部と、右側座部１１Ｒのフレームと右側肘掛部１３Ｒのフレームとを回動可能な状態で連結する軸部と、中間座部１１Ｃのフレームと左側座部１１Ｌのフレームとを回動可能な状態で連結する軸部と、中間座部１１Ｃのフレームと右側座部１１Ｒのフレームとを回動可能な状態で連結する軸部とのそれぞれに、ラチェット機構を用いた角度調節機構を設けている。したがって、左側肘掛部１３Ｌ、右側肘掛部１３Ｒ、左側座部１１Ｌ及び右側座部１１Ｒは、それぞれを起立させる際に任意の傾斜角度で停止させ（ラチェットが係合した状態となり）ながらも、一旦起立方向の限界位置まで起立させてラチェットを解除状態とすることにより、倒伏させることができる構造となっている。
【００２５】
具体的に、傾斜角度θＬ，θＲ，φＬ，φＲの調節可能範囲をどのように設定するのかは、特に限定されない。しかし、傾斜角度θＬ，θＲ，φＬ，φＲの調節下限値を大きくしすぎると、左側肘掛部１３Ｌ及び右側肘掛部１３Ｒをそれぞれ左側座部１１Ｌ及び右側座部１１Ｒに対して寝かせること、あるいは左側座部１１Ｌ及び右側座部１１Ｒをそれぞれ中間座部１１Ｃに対して寝かせることができなくなり、ソファ１０を基本状態（図１）や第一変形状態から第五変形状態（図２〜６）とすることができなくなる。一方、傾斜角度θＬ，θＲ，φＬ，φＲの調節下限値を０°よりも大幅に小さくできるようにしても（左側肘掛部１３Ｌや右側肘掛部１３Ｒがそれぞれ左側座部１１Ｌや右側座部１１Ｒに対して大きく反った状態となるよう、あるいは左側座部１１Ｌや右側座部１１Ｒがそれぞれ中間座部１１Ｃに対して大きく反った状態となるよう）にしてもソファ１０の変形にはあまり意味を有さない。このため、傾斜角度θＬ，θＲ，φＬ，φＲの調節下限値は、通常、−１０〜１０°の範囲とされ、−５〜５°の範囲とすると好ましい。本実施態様のソファ１０において、傾斜角度θＬ，θＲ，φＬ，φＲの調節下限値はいずれも０°となっている。
【００２６】
また、傾斜角度θＬ，θＲ，φＬ，φＲの調節上限値を小さくしすぎると、左側肘掛部１３Ｌ及び右側肘掛部１３Ｒをそれぞれ左側座部１１Ｌ及び右側座部１１Ｒに対して起立させること、あるいは左側座部１１Ｌ及び右側座部１１Ｒをそれぞれ中間座部１１Ｃに対して起立させることができなくなり、やはり、ソファ１０を基本状態（図１）や第一変形状態から第五変形状態（図２〜６）とすることができなくなる。一方、傾斜角度θＬ，θＲ，φＬ，φＲの調節上限値を９０°よりも大幅に大きくできるようにしても、ソファ１０の変形にはあまり意味を有さない。このため、傾斜角度θＬ，θＲ，φＬ，φＲの調節上限値は、通常、４５〜１００°の範囲とされ、６０〜９０°の範囲とすると好ましい。本実施態様のソファ１０において、傾斜角度θＬ，θＲ，φＬ，φＲの調節上限値はいずれも約８０°としている。
【００２７】
マッサージ手段１５は、各種のものを使用することができるが、本実施態様のソファ１０においては、図７に示すものを用いている。このマッサージ手段１５は、それぞれ軸Ｌ１，Ｌ２回りに回転する一対の回転盤を備えたものとなっている。それぞれの回転盤には、複数個（本実施態様のソファ１０においては３個）の球体１５ａが固定されている。この球体１５ａが各回転盤と一体的に回動することにより、ソファ１０を使用する人をマッサージすることができるようになっている。本実施態様のソファ１０において、マッサージ手段１５は、前記回転盤は、軸Ｌ１，Ｌ２と平行な方向に振動（バイブレーション）動作することができるようになっている。ソファ１０の使用者は、図示省略のコントローラを操作することにより、マッサージ手段１５の動作を、回転動作と振動動作とで切り替えることができるようになっている。
【００２８】
マッサージ手段１５を設ける場所は、左側肘掛部１３Ｌ又は右側肘掛部１３Ｒのうち少なくとも一方の起立時内向面であれば特に限定されない。この場所にマッサージ手段１５を設ければ、図１に示す基本状態において、ソファ１０に着席した人の座り心地にマッサージ手段１５が悪影響を及ぼさないし、図２〜６に示す変形状態において、ソファ１０に着席した人が所望の場所をマッサージすることができる。本実施態様のソファ１０は、図１〜６に示すように左右対称な変形が可能であり、左側肘掛部１３Ｌ又は右側肘掛部１３Ｒの一方のみにマッサージ手段１５を設けてれば、想定した全ての姿勢でマッサージを受けることが可能であるため、左側肘掛部１３Ｌの起立時内向面にのみ設けている。
【００２９】
左側肘掛部１３Ｌの起立時内向面におけるいずれの箇所にマッサージ手段１５を設けるかは、特に限定されない。しかし、マッサージ手段１５で腰や背中や首筋などの凝りやすい箇所を容易にマッサージできるようにするためには、ソファ１０を第四変形状態（図５）にして、中間座部１１Ｃに腰を下ろし、左側座部１１Ｌに背中を当ててソファ１０に着席した際に、着席者の腰から首筋までの少なくともいずれかの箇所に重なるようにマッサージ手段１５を設けると好ましい。具体的には、中間座部１１Ｃの座面（上面）における左側座部１１Ｌ側の端部からマッサージ手段１５の下縁部までの左側座部１１Ｌ及び左側肘掛部１３Ｌの傾斜に沿った距離Ｘ１（図５を参照）が、２０〜８０ｃｍとなる範囲にマッサージ手段１５を設けると好ましい。マッサージ手段１５は、距離Ｘ１が３０〜６０ｃｍとなる範囲に設けるとより好ましい。本実施態様のソファ１０においては、距離Ｘ１が約４０ｃｍとなる箇所に、縦幅が約２０ｃｍのマッサージ手段１５を設けている。
【００３０】
また、左側座部１１Ｌの座面（上面）における左側肘掛部１１Ｌ側の端部からマッサージ手段１５の下縁部までの左側肘掛部１３Ｌの傾斜に沿った距離Ｘ２（図５を参照）は、０ｃｍ以上であれば特に限定されない。しかし、距離Ｘ２を長くしすぎると、図３に示す第三変形状態において、右側肘掛部１３Ｒを枕とし、左側肘掛部１３Ｌに足裏を当てた状態でソファ１０に寝た際に、足裏をマッサージ手段１５に当てにくくなるおそれがある。このため、距離Ｘ２は、通常、１５ｃｍ以下とされる。距離Ｘ２は、１０ｃｍ以下であると好ましく、５ｃｍ以下であるとより好ましい。本実施態様のソファ１０において、距離Ｘ２は約５ｃｍとしている。
【００３１】
ところで、本実施態様のソファ１０は、図１に示すように、背もたれ部１２が、背もたれ部１２の下部を形成する下側背もたれ部１２Ｄと、下側背もたれ部１２Ｄの上縁に連結された上側背もたれ部１２Ｕとで構成されている。上側背もたれ部１２Ｕは、下側背もたれ部１２Ｄに対して手前側に回動させることができるようになっている。上側背もたれ部１２Ｕは、それが下側背もたれ部１２Ｄに対して平行となった起立状態から手前側に力を加えた際には手前側に回動するものの、前記起立状態から奥側に力を加えてもそれ以上は奥側に回動しない構造となっている。このため、背もたれ部１２は、それを背もたれとして使用する際には、使用者の背中をしっかりと支持しながらも、ソファ１０の収納時や運搬時には、上側背もたれ部１２Ｕを手前側に折り畳んでコンパクトな状態とすることができるようになっている。
【符号の説明】
【００３２】
１０    ソファ
１１    座部
１１Ｃ  中間座部
１１Ｌ  左側座部
１１Ｒ  右側座部
１２    背もたれ部
１２Ｄ  下側背もたれ部
１２Ｕ  上側背もたれ部
１３    肘掛部
１３ａ  カバー
１３Ｌ  左側肘掛部
１３Ｒ  右側肘掛部
１４    基台
１４ａ  脚
１５    マッサージ手段
ＰＬ  左側座部と中間座部の連結軸
ＰＲ  右側座部と中間座部の連結軸
ＱＬ  左側肘掛部と左側座部の連結軸
ＱＲ  右側肘掛部と右側座部の連結軸
Ｌ１  回転軸
Ｌ２  回転軸
Ｗ１  左側座部の幅
Ｗ２  中間座部の幅
Ｗ３  右側座部の幅
Ｗ４  左側肘掛部の幅
Ｗ５  右側肘掛部の幅
Ｘ１  中間座部の座面における左側座部側の端部からマッサージ手段の下縁部までの左側座部及び左側肘掛部の傾斜に沿った距離
Ｘ２  左側座部の座面における左側肘掛部側の端部からマッサージ手段の下縁部までの左側肘掛部の傾斜に沿った距離
θＬ  左側座部に対する左側肘掛部の傾斜角度（座部に対する左側肘掛部の傾斜角度）
θＲ  右側座部に対する右側肘掛部の傾斜角度（座部に対する右側肘掛部の傾斜角度）
φＬ  中間座部に対する左側座部の傾斜角度
φＲ  中間座部に対する右側座部の傾斜角度
【図１】
2013188340.tif 000003
【図２】
2013188340.tif 000004
【図３】
2013188340.tif 000005
【図４】
2013188340.tif 000006
【図５】
2013188340.tif 000007
【図６】
2013188340.tif 000008
【図７】
2013188340.tif 000009